【手続補正書】
【提出日】平成15年10月23日(2003.10.23)
【手続補正１】
【補正対象書類名】明細書
【補正対象項目名】特許請求の範囲
【補正方法】変更
【補正の内容】
【特許請求の範囲】
【請求項１】
特定の身体の動きについての所望される頭の位置に対する装着者の頭の瞬間位置を感知し、及び、前記特定の身体の動きについての適切な頭の位置パラメーター範囲内に装着者の頭があるときに、またはその代わりに、前記特定の身体の動きについての適切な頭の位置パラメーター範囲内に装着者の頭が無いときに、装着者に信号を与えるためのヘッドギア装置において、
特定の体の動きの開始前の時点に確立された既知の当初位置からの装着者の頭の動きを感知し、及び、装着者の頭の動きの方向及び回転速度を示す電気信号を出力するためのセンサーデバイス；
前記電気信号をディジタル信号ストリームへと変換するためのアナログからディジタルへの変換器、
前記ディジタル信号ストリームを受信し、前記電気信号に関係する角変位を計算するために積分を実行し、及び、前記計算された角変位を、正しい動きの基準の限界を定める所定の一のディジタルデーターと比較するためのディジタルプロセッサー、
前記ディジタルプロセッサーは、上記基準限界と上記計算された角変位とを比較するにおいて、装着者の頭が前記基準限界内にあるか無いかを定めるのを助けるために追加データを含むさらなるデーターを受信する、
特定の動きが前記定められた基準内にあるとき又は無いときに警報を作るための警報出力デバイス、及び
前記ディジタルプロセッサーへの上記追加データの少なくとも一部の入力を可能にするインターフェースデバイス、
を含むヘッドギア装置。
【請求項２】
特定のタイプの身体の動きに付随する特定の動きの間に、前記特定の動きについて確立された軌跡に相対的な装着者の頭の位置を感知し、及び、前記相対的位置が前記確立された軌跡からはずれているときに警報を与え、ならびに、前記相対的位置が前記確立された軌跡内にあるときに、他の警報を与えるヘッドギア装置において、
各々、頭の回転の軸の回りに配置され、及び、各々が、各感知された軸の回りの装着者の頭の動きの角運動に比例するアナログ電気信号を出力するジャイロスコープセンサー、
前記各電気信号についてディジタル出力を生成する、アナログからディジタルへの変換器、
前記ディジタル出力を受信し、及び、前記ディジタル出力から、前記特定の身体の活動における装着者の頭の相対的な角変位を示すディジタル信号を生成するデーター積分器かつプロセッサー、
前記データー積分器かつプロセッサーは前記ディジタル信号を正しい動きについての確立された限界と比較する、
前記データ積分器かつプロセッサーは、上記確立された限界と上記ディジタル信号とを比較するにおいて、装着者の頭が上記確立された限界内にあるかないかを定めるのを助けるために追加データを含むさらなるデータを受信する、
前記相対的動きが前記限界の外に在るときに装着者に警告するための信号を出力し、前記相対的動きが前記限界内に在るときに他の信号を出力する警報デバイス、及び
前記データ積分器かつプロセッサーへの追加データの入力を可能にするインターフェースデバイス、
を含むヘッドギア装置。
【請求項３】
ユーザーがヘッドギアに情報を入力することを可能にするユーザーインターフェース手段、
２つの互いに垂直な軸の回りの装着者の頭の動きを検出し、及び、検出された動きに比例する信号を出力するセンサー手段、
センサー手段の出力信号を受信し、出力信号から少なくとも一つの角変位を計算し、角変位は、格納されているデータ及びインターフェース手段における入力と比較され、及び計算された角変位と入力された情報を操作して、フィードバック信号を生成する、プロセッサー手段、
フィードバック信号を受信し、及び、フィードバック信号の認識可能な表示を装着者に与える、インジケーター手段、
を含む、装着者の頭の動きを感知し及び感知された動きの特性の表示を与えるためのヘッドギア装置。
【請求項４】
フィードバック信号が装着者の頭の所望される動作経路からのずれに比例することを特徴とする請求項３記載のヘッドギア装置。
【請求項５】
上記格納されているデータが、所望される動作経路を示す情報により表されることを特徴とする請求項４記載のヘッドギア装置。
【請求項６】
所望される動作経路が、陸上競技、野球、クリケット、ホッケー、フィールドホッケー、ラクロス、サッカー、テニス、フットボール、ゴルフ、スケート、ボクシング、ボーリング、ビリヤード、玉突き、アーチェリー、射撃、自動車の運転、および、飛行機の操縦からなる身体的活動の群より選ばれることを特徴とする請求項４記載のヘッドギア装置。
【請求項７】
インジケーター手段が可聴音生成手段を備えることを特徴とする請求項３記載のヘッドギア装置。
【請求項８】
前記可聴音生成手段が言語スピーチとして認識可能な出力を生成することを特徴とする請求項７記載のヘッドギア装置。
【請求項９】
前記インジケーター手段が可視信号生成手段を備えることを特徴とする請求項３記載のヘッドギア装置。
【請求項１０】
センサー手段がジャイロスコープのセンサーを含むことを特徴とする請求項３記載のヘッドギア装置。
【請求項１１】
センサー手段がジャイロスコープのセンサーと加速度計センサーの組み合わせを含むことを特徴とする請求項３記載のヘッドギア装置。
【請求項１２】
プロセッサー手段がセンサー手段の出力信号を表すデーターを格納することを特徴とする請求項３記載のヘッドギア装置。
【請求項１３】
装着者がヘッドギアに情報を入力することを可能にするユーザーインターフェース手段を用意すること、
２つの互いに垂直な軸の回りの装着者の頭の動作を感知し、及び、感知された動作に比例する信号を出力する感知手段を用意すること、
出力信号を操作し、及び、出力信号から少なくとも一つの角変位を計算し、角変位は、格納されているデータ及び入力情報と比較され、フィードバック信号を生成するプロセッサー手段を用意すること、
フィードバック信号を受信し、及び、ヘッドギアの動きの認識可能な表示を装着者に与える、インジケーター手段を用意すること、
を含む、ヘッドギアの動作を検出し、及び、検出された動作に関連する情報をヘッドギアの装着者に与える方法。
【請求項１４】
フィードバック信号が装着者の頭の所望される動作経路からのずれに比例して生成されることを特徴とする請求項１３記載の方法。
【請求項１５】
上記格納されているデータが、所望される動作経路を示すことを特徴とする請求項１４記載の方法。
【請求項１６】
所望される動作経路が、陸上競技、野球、クリケット、ホッケー、フィールドホッケー、ラクロス、サッカー、テニス、フットボール、ゴルフ、スケート、ボクシング、ボーリング、ビリヤード、玉突き、アーチェリー、射撃、自動車の運転、および、飛行機の操縦からなる身体的活動の群より選ばれることを特徴とする請求項１４記載の方法。
【請求項１７】
インジケーター手段が可聴音を含む表示を生成することを特徴とする請求項１３記載の方法。
【請求項１８】
可聴音が、言語スピーチとして認識可能な出力を含むことを特徴とする請求項１７記載の方法。
【請求項１９】
インジケーター手段が可視信号を含む表示を生成することを特徴とする請求項１３記載の方法。
【請求項２０】
感知手段がジャイロスコープのセンサーによって動作を感知することを特徴とする請求項１３記載の方法。
【請求項２１】
感知手段がジャイロスコープのセンサーと加速度計センサーの組み合わせによって動作を感知することを特徴とする請求項１３記載の方法。
【請求項２２】
ヘッドギアに情報を入力することを可能にする、ヘッドギアをインターフェースする手段、
装着者の頭の動作を検出し、及び、検出された動作に比例する電気信号を出力する手段、
前記各電気信号についてディジタル出力を生成するための、アナログ信号からディジタル信号への変換手段、
感知手段の出力信号を受信し、上記出力信号から少なくとも一つの角変位を計算し、角変位は、格納されているデータ及びインターフェース手段における何らかの入力情報と比較され、ならびに、出力信号及び入力情報を処理してフィードバック信号を生成する処理手段、
フィードバック信号を受信し、及び、フィードバック信号の認識可能な表示を装着者に与える表示手段、
を含む、装着者の頭の動きを感知し及び感知された動きの特性の表示を与えるためのヘッドギア装置。
【請求項２３】
フィードバック信号が装着者の頭の所望される動作経路からのずれに比例することを特徴とする請求項２２記載のヘッドギア装置。
【請求項２４】
上記格納されているデータが、所望される動作経路を示す情報により表されることを特徴とする請求項２３記載のヘッドギア装置。
【請求項２５】
所望される動作経路が、陸上競技、野球、クリケット、ホッケー、フィールドホッケー、ラクロス、サッカー、テニス、フットボール、ゴルフ、スケート、ボクシング、ボーリング、ビリヤード、玉突き、アーチェリー、射撃、自動車の運転、および、飛行機の操縦からなる身体的活動の群より選ばれることを特徴とする請求項２３記載のヘッドギア装置。
【請求項２６】
表示手段が可聴音生成手段を備えることを特徴とする請求項２２記載のヘッドギア装置。
【請求項２７】
前記可聴音生成手段が言語スピーチとして認識可能な出力を生成することを特徴とする請求項２６記載のヘッドギア装置。
【請求項２８】
前記表示手段が可視信号生成手段を備えることを特徴とする請求項２２記載のヘッドギア装置。
【請求項２９】
感知手段がジャイロスコープのセンサーを備えることを特徴とする請求項２２記載のヘッドギア装置。
【請求項３０】
感知手段がジャイロスコープのセンサーと加速度計センサーの組み合わせを備えることを特徴とする請求項２２記載のヘッドギア装置。
【請求項３１】
処理手段が感知手段の出力信号を表すデーターを格納することを特徴とする請求項２２記載のヘッドギア装置。